(57)【要約】  基地局は、情報チャネルＤ３〜Ｄ７よりも前に送信される制御チャネルＣ１を、隣接する周波数の制御チャネルＣ１との間で差動符号化して送信する。端末装置は、上記差動符号化された制御チャネルＣ１を復号するとともに、パイロットＲ２に基づいて伝送路推定を行う。そして、制御チャネルＣ１の復号により得た情報とパイロットＲ２の伝送路推定の結果とに基づいて、情報チャネルＤ３〜Ｄ７を復号するようにしたものである。
2008047556.tif 000002
【特許請求の範囲】
【請求項１】
送信装置と受信装置とを備える移動通信システムにおいて、
前記送信装置は、
伝送情報を符号化し、この符号化した結果を用いて変調を行って伝送信号を生成する第１生成手段と、
前記変調に対応する復調の方法と、前記符号化に対応する復号方法とを示す制御情報を含み、互いに差動符号化された２つの制御信号を生成する第２生成手段と、
受信装置において既知の基準信号を生成する第３生成手段と、
前記２つの制御信号、前記基準信号、前記伝送信号をこの順に無線送信する送信手段とを備え、
前記受信装置は、
前記送信装置が送信する無線信号を受信する受信手段と、
この受信手段が受信した前記２つの制御信号を遅延検波して、前記制御情報を検出する第１検出手段と、
前記受信手段が受信した前記基準信号に基づいて、伝送路の推定を行う推定手段と、
前記伝送信号をバッファリングする記憶手段と、
前記第１検出手段が検出した制御情報と、前記推定手段の推定結果とに基づいて、前記記憶手段が記憶する伝送信号を復調および復号し、前記伝送情報を検出する第２検出手段とを具備することを特徴とする移動通信システム。
【請求項２】
伝送情報を符号化し、この符号化した結果を用いて変調を行って伝送信号を生成する第１生成手段と、
前記変調に対応する復調の方法と、前記符号化に対応する復号方法とを示す制御情報を含み、互いに差動符号化された２つの制御信号を生成する第２生成手段と、
受信側において既知の基準信号を生成する第３生成手段と、
前記２つの制御信号、前記基準信号、前記伝送信号をこの順に無線送信する送信手段とを具備することを特徴とする移動無線端末装置。
【請求項３】
伝送情報に基づく伝送信号と、この伝送信号の復調方法と復号方法とを示す制御情報を含み、互いに差動符号化された２つの制御信号と、基準信号とを生成し、前記２つの制御信号、前記基準信号、前記伝送信号をこの順に無線送信する基地局装置と、無線通信する移動無線端末装置であって、
前記基地局装置が送信する無線信号を受信する受信手段と、
この受信手段が受信した前記２つの制御信号を遅延検波して、前記制御情報を検出する第１検出手段と、
前記受信手段が受信した前記基準信号に基づいて、伝送路の推定を行う推定手段と、
前記伝送信号をバッファリングする記憶手段と、
前記第１検出手段が検出した制御情報と、前記推定手段の推定結果とに基づいて、前記記憶手段が記憶する伝送信号を復調および復号し、前記伝送情報を検出する第２検出手段とを具備することを特徴とする移動無線端末装置。
【発明の詳細な説明】
【技術分野】
【０００１】
この発明は、基準信号を用いてマルチキャリア通信を行う移動通信システムに関する。
【背景技術】
【０００２】
周知のように、変調および符号化の適応制御ＡＭＣ（Adaptive Modulation and Coding）は、伝送路品質に応じた変調（Modulation）と符号化（Coding）を実施して、伝送速度と受信品質を向上する技術である。ＡＭＣの実現にはいくつかの構成が考えられているが、ここでは、以下の構成を例に挙げる。【０００３】
受信側が無線伝送路品質を測定し、その値に基づいて、受信可能な伝送フォーマット（変調と符号化率の組合せ）を決定し、ＣＱＩ（Channel Quality Indication）として送信側に伝送する。送信側では、ＣＱＩに基づき、伝送フォーマットを選択して、情報チャネルで伝送情報を送信する。情報チャネルの伝送フォーマットの種類は、制御チャネルとして伝送する。【０００４】
すなわち、受信側では、制御チャネルにより、情報チャネルの伝送フォーマットを知ることができ、伝送情報の受信が行われる（例えば、非特許文献１参照）。非特許文献１では、送信側は基地局、受信側は端末であり、制御チャネルはHS-SCCH、情報チャネルはHS-PDSCHと示されている。HS-SCCHは対応するHS-PDSCHに先行して送信される。端末は、HS-SCCHを受信し、HS-PDSCHの受信に必要な伝送フォーマット情報を得る。このシステムはＣＤＭ（符号分割多重）を使用しているのでHS-SCCHとHS-PDSCHの多重化は符号を変えることにより行われている。【０００５】
ところで、ＯＦＤＭ（Orthogonal Frequency Division Multiplexing）方式のような、時間方向、周波数方向の分割でフレームを構成するマルチキャリア無線通信システムでは、変調された情報信号と同期検波するための基準信号と情報信号の変調符号化の情報を示す制御信号を、それぞれ望ましい時間タイミングに配置することは難しい。【０００６】
従来は、各サブキャリアの無線伝送路品質を、上述した受信側でより正確に測定するために、基準信号を離散的に配置しており、基準信号よりも前に受信したチャネルについてはバッファしておき、その後受信した基準信号にて伝送路推定を行う。そして、この推定結果に基づいてバッファしておいたチャネルの復号を行う。またその復号中に受信したチャネルについてもバッファする必要がある。このため、必然的にバッファ容量が大きくなるという問題があった。
【発明の開示】
【０００７】
従来では、情報信号と基準信号と制御信号を、それぞれ望ましい時間タイミングに配置することは難しく、基準信号を伝送路推定に適した時間タイミングに配置した場合、受信バッファの容量が大きくなるという問題があった。  
この発明は上記の問題を解決すべくなされたもので、基準信号を伝送路推定に適した時間タイミングに配置した場合でも、受信バッファの容量を小さくすることが可能な移動通信システムおよび移動無線端末装置を提供することを目的とする。
【０００８】
上記の目的を達成するために、この発明は、送信装置と受信装置とを備える移動通信システムにおいて、送信装置は、伝送情報を符号化し、この符号化した結果を用いて変調を行って伝送信号を生成する第１生成手段と、変調に対応する復調の方法と、符号化に対応する復号方法とを示す制御情報を含み、互いに差動符号化された２つの制御信号を生成する第２生成手段と、受信装置において既知の基準信号を生成する第３生成手段と、２つの制御信号、基準信号、伝送信号をこの順に無線送信する送信手段とを備え、受信装置は、送信装置が送信する無線信号を受信する受信手段と、この受信手段が受信した２つの制御信号を遅延検波して、制御情報を検出する第１検出手段と、受信手段が受信した基準信号に基づいて、伝送路の推定を行う推定手段と、伝送信号をバッファリングする記憶手段と、第１検出手段が検出した制御情報と、推定手段の推定結果とに基づいて、記憶手段が記憶する伝送信号を復調および復号し、伝送情報を検出する第２検出手段とを具備して構成するようにした。
【図面の簡単な説明】
【０００９】
【図１】この発明に係わる移動通信システムで用いるＯＦＤＭ変調方式のＴＴＩの構成例を説明するための図である。
【図２】この発明に係わる移動通信システムで用いるサブキャリアの割り当ての一例を示す図である。
【図３】この発明に係わる移動通信システムの基地局の構成を示す回路ブロック図である。
【図４】この発明に係わる移動通信システムの端末装置の構成を示す回路ブロック図である。
【図５】この発明に係わる移動通信システムの基地局の送信処理および端末装置の受信処理を説明するための図である。
【発明を実施するための最良の形態】
【００１０】
以下、図面を参照して、この発明の一実施形態について説明する。ここでは、基地局から端末装置に送信する下り回線において、変調方式としてＯＦＤＭ（直交波周波数分割多重）を使用した、セルラ（携帯電話）システムを例に挙げて説明する。【００１１】
ＯＦＤＭ変調方式では、高速なデータ信号を低速で狭帯域なデータ信号に変換し、周波数軸上で、複数のサブキャリアを使って並列に伝送する。ここで示すＯＦＤＭ変調方式は、サブキャリア数６００、サブキャリア間隔１５ｋＨｚで構成されるものとし、１タイムフレーム（ＴＴＩ：Transmission Time Interval）は０．５ｍｓｅｃであり、１タイムフレームは７ＯＦＤＭシンボルからなる。ＴＴＩの構成例を図１に示す。【００１２】
この図に示すように、ＴＴＩは、端末装置が伝送路推定値を求めるための既知の基準信号と、端末装置に伝送する情報を載せる情報チャネルと、この情報チャネルの伝送フォーマットを示す情報が載る制御チャネルと、その他のシステム情報が載るシステム用チャネルとからなる。基地局から端末へのリンクの形成は、ＴＴＩ単位に行われる
この発明に係わるシステムでは、基準信号から求められる伝送路推定値を使用しなくても、制御チャネルの復調ができるように、図２に示すように、制御チャネルは差動符号化されており、遅延検波を行うことができる。この差動符号化は、隣接するサブキャリアのＯＦＤＭシンボル間で行う。【００１３】
次に、この発明の一実施形態に係わる移動通信システムの構成について説明する。図３は、基地局の送信系の構成を示し、図４は、端末装置の受信系の構成を示す。  
まず図３を参照して、基地局の送信系の構成について説明する。基地局は、複数の端末装置に対して、図２に示すような複数のサブキャリアを割り当てて、これらを通じた送信を行うものである。各サブキャリアには、ＴＴＩ単位の先頭のタイミングに、制御チャネルが割り当てられ、次にシステム用チャネルもしくは、端末装置側で既知の基準信号（パイロット）が割り当てられ、そしてこれらの後に、音声データなどの個別情報チャネルが続く。【００１４】
そして、基地局は、その送信系の構成として、制御部１００と、チャネルコーディング部１０１と、差動符号化部１０２と、変調部１０３と、音声（情報）コーディング部１０４と、チャネルコーディング部１０５と、変調部１０６と、チャネルコーディング部１０７と、変調部１０８と、フレーミング部１０９と、２次変調部（ＩＦＦＴ：Inverse Fast Fourier Transform）１１０と、送信ＲＦ部１１１とを備える。【００１５】
制御部１００は、当該基地局における送受信を統括して制御するものであって、図２に示すような制御チャネルを通じてそれぞれ送信する複数の制御信号をチャネルコーディング部１０１に出力する。これらの制御信号には、制御部１００によって、それぞれが送信される制御チャネルと同じ周波数で送信されるサブキャリアを受信するための制御情報（チャネルコーディングレートや変調方式などを示す情報）が含まれる。【００１６】
チャネルコーディング部１０１は、各制御信号のビット列を、予め端末装置との間で申し合わせたチャネルコーディングレートでチャネルコーディングする。差動符号化部１０２は、受信した端末装置が遅延検波によって検波が可能なように、チャネルコーディング部１０１のコーディングの結果を、図２に示すように周波数軸上で隣接するサブキャリアに割り当てるもの同士で差動符号化する。変調部１０３は、差動符号化部１０２の差動符号化の結果に基づく多値変調を行う。【００１７】
音声（情報）コーディング部１０４は、音声データ（端末装置にとっての受話）をコーディングする。チャネルコーディング部１０５は、音声（情報）コーディング部１０４のコーディング結果のビット列を、制御部１００から指示されたチャネルコーディングレートでチャネルコーディングする。ここで用いられるチャネルコーディングレートは、前述の制御情報に一致するものである。【００１８】
変調部１０６は、制御部１００から指示された変調方式で、チャネルコーディング部１０５のコーディング結果に基づく多値変調を行う。ここで用いられる変調方式は、前述の制御情報に一致するものである。【００１９】
チャネルコーディング部１０７は、システム用チャネルのビット列を、端末装置側と予め申し合わされたチャネルコーディングレートでチャネルコーディングする。変調部１０６は、端末装置側と予め申し合わされた変調方式で、チャネルコーディング部１０５のコーディング結果に基づく多値変調を行う。【００２０】
フレーミング部１０９は、変調部１０６の出力（音声）、変調部１０８の出力（システム用チャネル）、パイロットおよび変調部１０３の出力（制御信号）を、それぞれ図２に示したようなサブキャリアに割り当てるフレーム配置を行う。【００２１】
２次変調部１１０は、フレーミング部１０９から出力される周波数領域の信号を時間領域の信号に変換する、高速逆フーリエ変換を行う。そして、この信号は、ディジタル−アナログ変換器、アップコンバータおよび電力増幅器などを含む送信ＲＦ部１１１によって無線（ＲＦ）信号に変換され、これをアンテナを通じて、端末装置に向け空間に放射する。【００２２】
次に図４を参照して、端末装置の受信系の構成について説明する。端末装置は、基地局から割り当てられたチャンクを受信するものであって、その受信系の構成として、制御部２００と、受信ＲＦ部２０１と、２次復調部（ＦＦＴ：Fast Fourier Transform）２０２と、デフレーミング部２０３と、遅延検波部２０４と、チャネルデコーディング部２０５と、伝送路推定部２０６と、バッファ部２０７と、同期検波部２０８と、チャネルデコーディング部２０９と、チャネルデコーディング部２１０と、音声（情報）デコーディング部２１１とを備える。【００２３】
受信ＲＦ部２０１は、ダウンコンバータおよびアナログ−ディジタル変換器などを備え、複数の端末装置からそれぞれ送信される無線信号をベースバンドディジタル信号に変換する。２次復調部２０２は、上記ベースバンドディジタル信号を、高速フーリエ変換し、これにより時間領域の信号から周波数領域の信号、すなわち図２に示すようなサブキャリア毎の信号に分割する。【００２４】
デフレーミング部２０３は、制御部２００からの指示にしたがって、図２に示すようにサブキャリア毎に分割された信号を、パイロットと、制御信号、システム用チャネル、音声データの各チャネルの信号にそれぞれ分離する。なお、デフレーミング部２０３によって、パイロットは、伝送路推定部２０６に出力され、制御信号に対応するチャネルの信号は、遅延検波部２０４に出力され、システム用チャネルおよび音声データに対応するチャネルの信号は、バッファ部２０７に出力される。【００２５】
遅延検波部２０４は、制御信号に対応するチャネルの信号に対して、遅延検波を行う。  チャネルデコーディング部２０５は、遅延検波部２０４の出力をチャネルデコードして、図２に示すような異なる周波数に割り当てられていた各制御チャネルの制御信号を得る。制御部２００は、これらの制御信号から、各周波数毎に端末装置で行われた多値変調方式とチャネルコーディングのコーディングレートを検出する。ここで検出された多値変調方式は、同期検波部２０８に通知され、コーディングレートは、チャネルデコーディング部２０９に通知される。また制御部２００は、上記コーディングレートの検出を終えると、この旨を同期検波部２０８に通知する。【００２６】
伝送路推定部２０６は、各周波数の上記パイロットから各周波数についてそれぞれ伝送路推定を行う。  
バッファ部２０７は、システム用チャネルおよび音声データに対応するチャネルの信号を一時的にバッファする。【００２７】
同期検波部２０８は、制御部２００からコーディングレート検出の旨が通知され、かつ伝送路推定部２０６による伝送路推定の結果が得られると、バッファ部２０７から、システム用チャネルおよび音声データに対応するチャネルの信号を読み出して、これらの信号にそれぞれ対応する周波数の伝送路推定の結果に基づいて同期をとり、そして制御部２００から指示される多値数の変調方式にしたがって、復調を行う。【００２８】
なお、システム用チャネルについては、予め設定された変調方式に対応する復調であり、音声データについては、制御部２００が制御信号から検出した多値変調方式に基づく復調である。そして、同期検波部２０８は、システム用チャネルの復調結果については、チャネルデコーディング部２０９に出力し、一方、音声データに対応するチャネルの復調結果については、チャネルデコーディング部２１０に出力する。【００２９】
チャネルデコーディング部２０９は、同期検波部２０８の復調結果（システム用チャネルに対応）を、予め基地局との間で申し合わせたコーディングレートでチャネルデコードしてシステム用チャネルを得る。【００３０】
チャネルデコーディング部２１０は、同期検波部２０８の復調結果（音声データに対応）を、制御部２００から通知されたコーディングレートでチャネルデコードする。音声（情報）デコーディング部２１１は、チャネルデコーディング部２０９によるチャネルデコードの結果を、音声デコードして音声データを得る。【００３１】
次に、上記構成の移動通信システムの動作について説明する。  
まず基地局の制御部１００が各部を制御して、図５に示すようにサブキャリアに信号を割り当てて送信を行う。すなわち、周波数ｆ１では、制御チャネルＣ１、パイロットＲ２、情報チャネルＤ３、Ｄ４、Ｄ５、パイロットＲ６、情報チャネルＤ７…の順で送信が行われる。また周波数ｆ２では、制御チャネルＣ１、システム用チャネルＳ２、情報チャネルＤ３、Ｄ４、Ｄ５、Ｄ６、Ｄ７…の順で送信が行われる。【００３２】
これに対して端末装置では、以下のようにして受信が行われる。すなわち、周波数ｆ１を通じて制御チャネルＣ１を受信し、またこれと同じタイミングで周波数ｆ２を通じて制御チャネルＣ１を受信する。これら周波数ｆ１、ｆ２の制御チャネルＣ１は、基地局において互いに差動符号化が施されたものである。そしてこれらの制御チャネルＣ１の受信を終えると、遅延検波部２０４およびチャネルデコーディング部２０５によって、上記制御チャネルＣ１の復号が行われる。【００３３】
また上記復号に並行して、周波数ｆ１を通じてパイロットＲ２を受信し、またこれと同じタイミングで周波数ｆ２を通じてシステム用チャネルＳ２を受信する。上記パイロットＲ２を受信すると、これに基づいて伝送路推定部２０６が伝送路推定を行う。またシステム用チャネルＳ２は、バッファ部２０７にてバッファリングされる。そして、上記伝送路推定に並行して、周波数ｆ１，ｆ２でそれぞれ受信される情報チャネルＤ３についても、バッファ部２０７にバッファリングされる。【００３４】
そして、遅延検波部２０４およびチャネルデコーディング部２０５による制御チャネルＣ１の復号と、伝送路推定部２０６によるパイロットＲ２に基づく伝送路推定とが終了すると、同期検波部２０８が、バッファ部２０７からシステム用チャネルＳ２および情報チャネルＤ３を読み出し、これらを上記制御チャネルＣ１の復号結果と、上記伝送路推定の結果とに基づいて同期検波して復調する。【００３５】
そしてシステム用チャネルの復調結果については、チャネルデコーディング部２０９にてチャネルデコードされ、一方、音声データに対応するチャネルの復調結果については、チャネルデコーディング部２１０にてチャネルデコードされた後、デコーディング部２１１でデコードされる。なお、情報チャネルＤ３が復号されるまでの間に、受信される情報チャネルＤ４がバッファ部２０７にバッファリングされており、この情報チャネルＤ４についても、情報チャネルＤ３に続いて、同様に復号される。これにより、情報チャネルＤ３、Ｄ４に対応する音声データが得られる。【００３６】
またこの復号に並行して、周波数ｆ１では、情報チャネルＤ５、パイロットＲ６、情報チャネルＤ７が受信され、バッファ部２０７にバッファリングされる。同様に、周波数ｆ２では、情報チャネルＤ５〜Ｄ７が受信され、バッファ部２０７にバッファリングされる。【００３７】
そしてパイロットＲ６の受信が完了すると、伝送路推定部２０６がパイロットＲ６に基づいて、伝送路推定を行う。この伝送路推定の結果は、同期検波部２０８に出力される。このようにして伝送路推定の結果が再びに同期検波部２０８に入力されると、同期検波部２０８は、バッファ部２０７から情報チャネルＤ５〜Ｄ７を読み出し、これらを上記制御チャネルＣ１の復号結果と、上記伝送路推定（Ｒ６）の結果とに基づいて同期検波して復調する。【００３８】
そして、情報チャネルＤ５〜Ｄ７の復調結果が得られると、これらはチャネルデコーディング部２１０にてチャネルデコードされた後、デコーディング部２１１でデコードされる。これにより、情報チャネルＤ５〜Ｄ７に対応する音声データが得られる。【００３９】
以上のように、上記構成の移動通信システムでは、情報チャネルＤ３〜Ｄ７よりも前に送信される制御チャネルＣ１を、隣接する周波数の制御チャネルＣ１との間で差動符号化するようにしている。【００４０】
したがって、上記構成の移動通信システムによれば、パイロットＲ２を伝送路推定に適した時間タイミングに配置した場合でも、パイロットＲ２に基づく伝送路推定の結果を得るまで待たずに、制御チャネルＣ１の復調および復号を行えるので、情報チャネルＤ３〜Ｄ７などをバッファリングするバッファ部２０７の所要バッファの容量を少なくすることができる。【００４１】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【図１】
2008047556.tif 000003
【図２】
2008047556.tif 000004
【図３】
2008047556.tif 000005
【図４】
2008047556.tif 000006
【図５】
2008047556.tif 000007
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
送信装置と受信装置とを備える移動通信システムにおいて、
前記送信装置は、
伝送情報を符号化し、この符号化した結果を用いて変調を行って伝送信号を生成する第１生成手段と、
前記変調に対応する復調の方法と、前記符号化に対応する復号方法とを示す情報に関連した制御情報を含み、複数の制御信号から構成された符号データを生成する第２生成手段と、
受信装置において既知の基準信号を生成する第３生成手段と、
前記制御信号、前記基準信号、前記伝送信号を無線送信する送信手段とを備え、
前記受信装置は、
前記送信装置が送信する無線信号を受信する受信手段と、
この受信手段が受信した前記２つの制御信号を遅延検波して、前記制御情報を検出する第１検出手段と、
前記受信手段が受信した前記基準信号に基づいて、伝送路の推定を行う推定手段と、
前記伝送信号をバッファリングする記憶手段と、
前記第１検出手段が検出した制御情報と、前記推定手段の推定結果とに基づいて、前記記憶手段が記憶する伝送信号を復調および復号し、前記伝送情報を検出する第２検出手段とを具備することを特徴とする移動通信システム。
【請求項２】
伝送情報を符号化し、この符号化した結果を用いて変調を行って伝送信号を生成する第１生成手段と、
前記変調に対応する復調の方法と、前記符号化に対応する復号方法とを示す情報に関連した制御情報を含み、複数の制御信号から構成された符号データを生成する第２生成手段と、
受信側において既知の基準信号を生成する第３生成手段と、
前記制御信号、前記基準信号、前記伝送信号を無線送信する送信手段とを具備することを特徴とする無線装置。
【請求項３】
伝送情報に基づく伝送信号と、この伝送信号の復調方法と復号方法とを示す情報に関連した制御情報を含み、複数の制御信号から構成された符号データを生成し、前記制御信号、既知の基準信号、前記伝送信号を無線送信する送信装置と、無線通信する無線装置であって、
前記送信装置が送信する無線信号を受信する受信手段と、
この受信手段が受信した前記２つの制御信号を遅延検波して、前記制御情報を検出する第１検出手段と、
前記受信手段が受信した前記基準信号に基づいて、伝送路の推定を行う推定手段と、
前記伝送信号をバッファリングする記憶手段と、
前記第１検出手段が検出した制御情報と、前記推定手段の推定結果とに基づいて、前記記憶手段が記憶する伝送信号を復調および復号し、前記伝送情報を検出する第２検出手段とを具備することを特徴とする無線装置。
【手続補正３】
【補正対象書類名】明細書
【補正対象項目名】０００７
【補正方法】変更
【補正の内容】
【０００７】
従来では、情報信号と基準信号と制御信号を、それぞれ望ましい時間タイミングに配置することは難しく、基準信号を伝送路推定に適した時間タイミングに配置した場合、受信バッファの容量が大きくなるという問題があった。  
この発明は上記の問題を解決すべくなされたもので、基準信号を伝送路推定に適した時間タイミングに配置した場合でも、受信バッファの容量を小さくすることが可能な移動通信システムおよび無線装置を提供することを目的とする。
【手続補正４】
【補正対象書類名】明細書
【補正対象項目名】０００８
【補正方法】変更
【補正の内容】
【０００８】
上記の目的を達成するために、この発明は、送信装置と受信装置とを備える移動通信システムにおいて、送信装置は、伝送情報を符号化し、この符号化した結果を用いて変調を行って伝送信号を生成する第１生成手段と、変調に対応する復調の方法と、符号化に対応する復号方法とを示す情報に関連した制御情報を含み、複数の制御信号から構成された符号データを生成する第２生成手段と、受信装置において既知の基準信号を生成する第３生成手段と、制御信号、基準信号、伝送信号を無線送信する送信手段とを備え、受信装置は、送信装置が送信する無線信号を受信する受信手段と、この受信手段が受信した２つの制御信号を遅延検波して、制御情報を検出する第１検出手段と、受信手段が受信した基準信号に基づいて、伝送路の推定を行う推定手段と、伝送信号をバッファリングする記憶手段と、第１検出手段が検出した制御情報と、推定手段の推定結果とに基づいて、記憶手段が記憶する伝送信号を復調および復号し、伝送情報を検出する第２検出手段とを具備して構成するようにした。
【国際調査報告】
2008047556.tif 000008
2008047556.tif 000009
2008047556.tif 000010
2008047556.tif 000011